(57)【特許請求の範囲】
【請求項１】
操作ボタンと、弾性を有し前記操作ボタンを保持するヒンジと、前記操作ボタンを押すことにより入力の切替を行うスイッチ部と、前記ヒンジを固定する外装カバーを有し、前記操作ボタンを押すことにより前記ヒンジの弾性変形する部分を前記外装カバーに対して間隔を設けた構成において、前記外装カバーの内面を削って溝を作り、前記ヒンジとの前記間隔を設けたことを特徴とする操作ボタン取付装置。
【請求項２】
操作ボタンと、弾性を有し前記操作ボタンを保持するヒンジと、前記操作ボタンを押すことにより入力の切替を行うスイッチ部と、前記ヒンジを固定する外装カバーを有し、前記操作ボタンを押すことにより前記ヒンジの弾性変形する部分を前記外装カバーに対して間隔を設け、前記操作ボタンの端面に前記操作ボタンと前記ヒンジを樹脂一体成形するための射出口の跡を設け、前記射出口の跡は前記外装カバーに対して間隔を設けた操作ボタン取付装置。
【発明の詳細な説明】
【０００１】
【発明の属する技術分野】
本発明は、表面の外装カバーに操作ボタンを有するリモコンの操作ボタン取付装置に関するものである。
【０００２】
【従来の技術】
従来、この種の操作ボタン取付装置は、図８及びその要部断面図の図９に記載されているような構成が一般的であった。表面の外装カバーに操作ボタンを有するリモコンの操作ボタン取付装置では操作ボタン２の一端に弾性を有するヒンジ４の固定部５に穴が設けられ、外装カバー１の突起部６へ挿入して先端部を熱溶着して固定していた。この操作ボタン２を押すと、弾性を有するヒンジ４がたわみ直下のスイッチ部８を押し、入力の切替が行われるようになっていた。
【０００３】
【発明が解決しようとする課題】
近年家庭内で用いられるリモコンでは、使用者の利便のため操作ボタンの操作内容をメロデーや合成音声などで報知するスピーカーなどの音源を内蔵するものが増えつつある。
しかしながら従来の操作ボタン取付装置では、外装カバー１に操作ボタン２を固定するヒンジ４が弾性を有するため低い共振点を持ち、リモコンに内蔵されるブザーやスピーカーなどの音源より発せられるメロデーや合成音声の特定の周波数の音に共振し、ヒンジ４が振動し外装カバー１に振動接触して不快な共鳴音であるびびり音を発生させてしまうという課題があった。
【０００４】
【課題を解決するための手段】
本発明は上記課題を解決するために、操作ボタンを押すことによりヒンジの弾性変形する部分を外装カバーに対して間隔を設けたものである。
【０００５】
以上の発明によれば、リモコン内蔵のスピーカーから発せられるメロデーや合成音声の報知音に、ヒンジが共振しても外装カバーに対して接触することが無くびびり音の発生を防止することが出来る。
【０００６】
【発明の実施の形態】
本発明は各請求項に記載した構成とすることにより実施できるものである。
【０００７】
請求項１に記載の発明では、操作ボタンと、弾性を有し前記操作ボタンを保持するヒンジと、前記操作ボタンを押すことにより入力の切替を行うスイッチ部と、前記ヒンジを固定する外装カバーを有し、前記操作ボタンを押すことにより前記ヒンジの弾性変形する部分を前記外装カバーに対して間隔を設け、前記間隔は外装カバーの内面を削って溝を作り、前記ヒンジとの前記間隔を設けたものである。
【０００８】
そしてヒンジの弾性変形する部分を外装カバーに対して間隔を設けているためリモコン内蔵のスピーカーから発せられるメロデーや合成音声の特定の周波数の音に、ヒンジが共振しても外装カバーに対して接触することが無くびびり音の発生を防止することが出来る。しかも、外装カバーの内面を削ってヒンジとの間隔を設けているので、操作ボタン取付装置の厚みを増すことなく効果を得ることが出来る。
【０００９】
請求項２に記載の発明では、操作ボタンと、弾性を有し前記操作ボタンを保持するヒンジと、前記操作ボタンを押すことにより入力の切替を行うスイッチ部と、前記ヒンジを固定する外装カバーを有し、前記操作ボタンを押すことにより前記ヒンジの弾性変形する部分を前記外装カバーに対して間隔を設け、前記操作ボタンの端面に設けられた前記操作ボタンと前記ヒンジを樹脂一体成形するための射出口跡を、前記外装カバーに対して間隔を設けたものである。そして操作ボタンがリモコン内蔵のスピーカーから発せられるメロデーや合成音声の特定の周波数の音に共振しても、外装カバーに対して接触することが無くびびり音の発生を防止することが出来る。
【００１０】
【実施例】
以下、本発明の実施例について図面を参照して説明する。
【００１１】
（実施例１）
図１は本発明の実施例１の操作ボタン取付装置の外観図及びスピーカー取付部の破砕断面図である。図２は操作ボタンの外観図、図３は操作ボタン取付装置の要部断面図である。また図４は操作ボタンを押したとき操作ボタン取付装置の要部断面図である。
【００１２】
図１において、操作ボタン２は外装カバー１にかん合自在に取付けられている。
【００１３】
そして操作ボタン２を押すとその動作をメロデーや合成音声で報知するための音源であるスピーカー３が内蔵されている。図２ではヒンジ４は弾性を有し操作ボタン２の両端よ
り伸び、固定部５に穴が設けられている。図３において操作ボタン２のヒンジ４の固定部５の穴は外装カバー１に段差７を付けて設けられた突起６に挿入され熱溶着され、操作ボタン２を押すことによってヒンジ４が弾性変形する部分と間隔ｄだけ距離を開けて固定されている。この間隔ｄはヒンジ４が内蔵のスピーカー３から発せられるメロデーや合成音声の音に共振・変位しても接触しない程度の距離である。操作ボタン２の直下にはこの操作ボタン２により入力の切替えを行うスイッチ部８が設けられている。そして図４に示すように操作ボタン２を押すと、操作ボタン２が外装カバー１より沈みこみスイッチ部８のスイッチを入り切りするようになっている。
【００１４】
次に動作、作用について説明する。図３において、操作ボタン２を押して内蔵のスピーカー３から発せられるメロデーや合成音声の特定の周波数の音にヒンジ４が共振・変位しても、ヒンジ４は外装カバー１に対して段差７を付けて間隔ｄの距離をおいて取付けられており、ヒンジ４と外装カバー１は接触することが無くびびり音は発生しない。
【００１５】
（実施例２）
図５は本発明の実施例２の操作ボタン取付装置の要部断面図である。図５において外装カバー１の内面を削り溝９を設けられ、ヒンジ４は操作ボタン２を押すことによって弾性変形する部分と間隔ｄだけ距離を開けて固定されている。そしてリモコン内蔵のスピーカー３から発せられるメロデーや合成音声の特定の周波数の音にヒンジ４が共振・変位しても、ヒンジ４と外装カバー１は接触することが無い。よって本実施例では操作ボタン取付装置の外形の厚みを増やすこと無く、第１実施例と同様にびびり音は発生を防止できる。
【００１６】
（実施例３）
図６は本発明の実施例３の操作ボタンの外観図および図７は実施例３の操作ボタン取付装置の要部断面図である。図６において操作ボタン２とヒンジ４は樹脂により一体成形され、操作ボタン２の端部に樹脂製形のための射出口の跡１０が設けられている。
【００１７】
図７において外装カバー１には溝９が設けられ、射出口跡１０は外装カバー１に対して間隔ｄだけ距離を置いている。この場合の間隔ｄは操作ボタン２が内蔵のスピーカー３から発せられるメロデーや合成音声の音に共振し、射出口跡１０が変位しても接触しない程度の距離である。そして外装カバー１に対してヒンジ４を介してかん合自在に取付けられた操作ボタン２がリモコン内蔵のスピーカー３から発せられるメロデーや合成音声の特定の周波数の音に共振・変位しても、射出口跡１０と外装カバーは接触することが無い。よって操作ボタン２の端部に射出口跡１０が設けられた操作ボタン取付装置においても第１実施例と同様にびびり音は発生を防止できる。
【００１８】
なおヒンジ４の弾性変形する部分と外装カバー１との間隔ｄ、および射出口跡１０と外装カバー１との間隔ｄは、本発明では図３の段差８、図５の溝９および図７の溝９で、ヒンジ４が内蔵のスピーカー３から発せられるメロデーや合成音声の音に共振・変位しても接触しない程度の距離だけ設けたが、この間隔がとれればその方法は問わない。
【００１９】
また間隔ｄはヒンジや操作ボタンそして射出口の共振によるその変位量で決まるが、この間隔を調整することにより様々なヒンジの形状・取付け方法、または報知音の大きさや発生する音の周波数に対応することが出来る。
【００２０】
【発明の効果】
以上のように請求項１〜３に記載の発明によれば、次の効果が得られる。
【００２１】
内蔵の音源よりメロデーや音声などの報知音が印加されて、操作ボタンやヒンジが共振しても外装カバーに接触しないため、びびり音の発生を防ぐことが出来る。
【００２２】
外装カバーの内面を削ってヒンジとの距離を設けているので、取付け装置の厚み、即ちリモコンの厚みを増すことなくびびり音の発生を防ぐことが出来る。
【００２３】
射出口跡が必要な樹脂成形部品にも容易に応用できるため、ボタンとヒンジを樹脂による一体成形した取付け装置においてもびびり音の発生を防ぐことが出来る。
【図面の簡単な説明】
【図１】  本発明の実施例１の操作ボタン取付装置の外観図
【図２】  同装置の操作ボタンの外観図
【図３】  同装置の要部断面図
【図４】  同装置の操作ボタンを押したときの状態を示す要部断面図
【図５】  本発明の実施例２の操作ボタン取付装置の要部断面図
【図６】  本発明の実施例３の操作ボタンの外観図
【図７】  本発明の実施例３の操作ボタン取付装置の要部断面図
【図８】  従来の操作ボタン取付装置の内観図
【図９】  同装置の要部断面図
【符号の説明】
１  外装カバー
２  操作ボタン
４  ヒンジ
７  段差
８  スイッチ部
【図１】
0004569029.tif 000002
【図２】
0004569029.tif 000003
【図３】
0004569029.tif 000004
【図４】
0004569029.tif 000005
【図５】
0004569029.tif 000006
【図６】
0004569029.tif 000007
【図７】
0004569029.tif 000008
【図８】
0004569029.tif 000009
【図９】
0004569029.tif 000010